【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
撮像した動画像を映像信号に変換する撮像手段と、
前記撮像手段から供給される映像信号を圧縮する圧縮処理手段と、
前記圧縮処理手段で圧縮された圧縮データを記録媒体上に記録する記録手段と、
前記撮像手段、前記圧縮処理手段及び前記記録手段に電源を供給する電源供給手段と、
前記電源供給手段から前記撮像手段、前記圧縮処理手段及び前記記録手段への電源供給の入切を選択する電源スイッチと、
録画のスタート及びストップを指示する録画スタートストップボタンと、
前記録画スタートストップボタンで録画のスタートが指示され、前記撮像手段が動画像を撮像し、前記映像信号を前記圧縮処理手段で圧縮し、前記記録手段が記録媒体上に記録している最中に、前記電源スイッチにより電源供給を切る状態を選択された場合、前記記録媒体上に動画像の圧縮データの終了コードを記録し、該動画像の圧縮データのファイルサイズを管理情報に記録するよう前記記録手段を制御する制御手段と、
を有することを特徴とする撮像装置。
【請求項２】
請求項１に記載の撮像装置であって、
前記制御手段は、前記録画スタートストップボタンで録画のスタートが指示され、前記撮像手段が動画像を撮像し、前記映像信号を前記圧縮処理手段で圧縮し、前記記録手段が記録媒体上に記録している最中に、前記電源スイッチにより電源供給を切る状態を選択された場合、該選択された時に撮像中のフレーム画像以降の圧縮処理を前記圧縮処理手段で止め、前記記録媒体上に該撮像中のフレーム画像の前のフレーム画像の圧縮データ及び動画像の圧縮データの終了コードを記録し、該動画像の圧縮データのファイルサイズを管理情報に記録するよう前記記録手段を制御する
ことを特徴とする撮像装置。
【請求項３】
請求項１に記載の撮像装置であって、
前記制御手段は、前記録画スタートストップボタンで録画のスタートが指示され、前記撮像手段が動画像を撮像し、前記映像信号を前記圧縮処理手段で圧縮し、前記記録手段が記録媒体上に記録している最中に、前記電源スイッチにより電源供給を切る状態を選択された場合、該選択された時に撮像中のフレーム画像より後のフレーム画像の圧縮処理を前記圧縮処理手段で止め、前記記録媒体上に該撮像中のフレーム画像の圧縮データ及び動画像の圧縮データの終了コードを記録し、該動画像の圧縮データのファイルサイズを管理情報に記録するよう前記記録手段を制御する
ことを特徴とする撮像装置。
【請求項４】
請求項３に記載の撮像装置であって、
前記圧縮処理手段は、ＭＰＥＧ方式で映像信号を圧縮し、
前記制御手段は、前記録画スタートストップボタンで録画のスタートが指示され、前記撮像手段が動画像を撮像し、前記映像信号を前記圧縮処理手段で圧縮し、前記記録手段が記録媒体上に記録している最中に、前記電源スイッチにより電源供給を切る状態を選択された場合、該選択された時に処理しているＧＯＰが終了するまで映像信号の圧縮処理を前記圧縮処理手段で行い、前記記録媒体上に該ＧＯＰが終了するまでの映像信号の圧縮データ及びＭＰＥＧデータの終了コードを記録し、該動画像の圧縮データのファイルサイズを管理情報に記録するよう前記記録手段を制御する
ことを特徴とする撮像装置。
【請求項５】
請求項１乃至４のいずれかに記載の撮像装置であって、
前記管理情報はディレクトリであることを特徴とする撮像装置。
【請求項６】
請求項２に記載の撮像装置であって、
前記圧縮処理手段は、ＭＰＥＧ方式で映像信号を圧縮し、
前記制御手段は、前記録画スタートストップボタンで録画のスタートが指示され、前記撮像手段が動画像を撮像し、前記映像信号を前記圧縮処理手段で圧縮し、前記記録手段が記録媒体上に記録している最中に、前記電源スイッチにより電源供給を切る状態を選択された場合、該選択された時に撮像中のフレーム画像以降の圧縮処理を前記圧縮処理手段で止め、前記記録媒体上に該撮像中のフレーム画像の前のフレーム画像の圧縮データ及びＭＰＥＧデータの終了コードを記録し、該ＭＰＥＧデータの記録位置を管理するＦＡＴに終了コードを記録し、該ＭＰＥＧデータのファイルサイズ及び記録日時をディレクトリに記録するよう前記記録手段を制御する
ことを特徴とする撮像装置。
【請求項７】
請求項３に記載の撮像装置であって、
前記圧縮処理手段は、ＭＰＥＧ方式で映像信号を圧縮し、
前記制御手段は、前記録画スタートストップボタンで録画のスタートが指示され、前記撮像手段が動画像を撮像し、前記映像信号を前記圧縮処理手段で圧縮し、前記記録手段が記録媒体上に記録している最中に、前記電源スイッチにより電源供給を切る状態を選択された場合、該選択された時に撮像中のフレーム画像より後のフレーム画像の圧縮処理を前記圧縮処理手段で止め、前記記録媒体上に該撮像中のフレーム画像の圧縮データ及びＭＰＥＧデータの終了コードを記録し、該ＭＰＥＧデータの記録位置を管理するＦＡＴに終了コードを記録し、該ＭＰＥＧデータのファイルサイズ及び記録日時をディレクトリに記録するよう前記記録手段を制御する
ことを特徴とする撮像装置。
【請求項８】
請求項７に記載の撮像装置であって、
前記圧縮処理手段は、ＭＰＥＧ方式で映像信号を圧縮し、
前記制御手段は、前記録画スタートストップボタンで録画のスタートが指示され、前記撮像手段が動画像を撮像し、前記映像信号を前記圧縮処理手段で圧縮し、前記記録手段が記録媒体上に記録している最中に、前記電源スイッチにより電源供給を切る状態を選択された場合、該選択された時に処理しているＧＯＰが終了するまで映像信号の圧縮処理を前記圧縮処理手段で行い、前記記録媒体上に該ＧＯＰが終了するまでの映像信号の圧縮データ及びＭＰＥＧデータの終了コードを記録し、該ＭＰＥＧデータの記録位置を管理するＦＡＴに終了コードを記録し、該ＭＰＥＧデータのファイルサイズ及び記録日時をディレクトリに記録するよう前記記録手段を制御する
ことを特徴とする撮像装置。
【手続補正２】
【補正対象書類名】明細書
【補正対象項目名】０００５
【補正方法】変更
【補正の内容】
【０００５】
上記課題は、特許請求の範囲に記載の発明により解決される。
【手続補正３】
【補正対象書類名】明細書
【補正対象項目名】０００６
【補正方法】変更
【補正の内容】
【０００６】
以上のように、本発明によれば、使い勝手の良い好適な画像記録再生装置を提供することが出来る。
【手続補正４】
【補正対象書類名】明細書
【補正対象項目名】００３２
【補正方法】変更
【補正の内容】
【００３２】
次に、装置の電源を切る動作を説明する。本実施の形態においても上記第１の実施の形態と同様に、電源ＳＷ１０６が操作され、電源切るが選択されると、システムコントローラ１１０３は電源開閉器１０５を制御し、電源部１０７と電源配線１０８を電気的に切り放し、電源配線１０８に接続された各部への電源を遮断する。動作の流れは、図５に記載されている動作流れと同一である。
以上、実施例では、
１．撮影中であり、記録媒体にデータを記録中の場合は、電源ＳＷを切っても所定の終了動作が終了するまで装置の電源を切らない。
２．撮影中、記録媒体の記録残量が所定値以下になった場合は、自動的に撮影を中止し、所定の記録終了動作を行う。
３．撮影（記録）中に誤って電源を切断してしまって、所定の記録終了動作をせずに記録動作を中断してしまった場合は、所定のファイル修復動作を行い少なくとも電源を切断される前のデータを有効なデータとして取り扱えるようにする。
また、以上の実施例によれば、画像記録中に誤って電源ＳＷを切ったり、バッテリが無くなったり、記録メディアの記録残量が無くなったり、誤ってバッテリを抜いてしまっても、撮像した画像の破壊を最小限度にとどめることが出来るので、携帯型の、特にバッテリを電源とする画像記録再生装置において、使い勝手の良い好適な画像記録再生装置を提供することが出来る。